(57)【要約】【課題】コピー不可能でムーブが許されたコンテンツにおいて、コンテンツの画質を低下させたり分割したりしてムーブしても元の画質に戻すことができ、コンテンツを低画質化または分割して利用する時にはユーザが納得する利用権利を与えることができ、著作権を守りつつデータ解像度の異なる機器連携時の利便性を上げることのできるコンテンツ移動管理システムを提供する。【解決手段】コピー不可能でムーブが許されたコンテンツにおいて、コピー不可で且つ画質またはデータ量に応じてチェックアウト・チェックインが許可されるよう著作権保護方式のマッピングを行う。これにより、画質を低下させたり分割したりしてチェックアウトしてもチェックインをすることでオリジナル画質に戻せ、更に低画質で利用時には複数の利用権利を与えることができる。【選択図】図１
2008033491.tif 000002
【特許請求の範囲】
【請求項１】
複数の記憶媒体と、チェックアウト手段と、チェックイン手段と、
前記記録媒体に記録された１つのオリジナルコンテンツに基づいて画質の異なる１つまたは複数の画質変換コンテンツを生成し、前記オリジナルコンテンツ及び前記画質変換コンテンツからなるコンテンツグループを構成する手段と、
前記コンテンツグループはコンテンツを再生及びムーブをする権利数と、
前記コンテンツグループに属するコンテンツは再生及びムーブをするために前記権利がいくつ必要であるかを表す必要権利数と、
前記必要権利数は対応するコンテンツの画質に応じた数であり、
再生及びムーブ対象のコンテンツの前記必要権利数と前記コンテンツが属するコンテンツグループの前記権利数を比較し、前記権利数が前記必要権利数以上存在する場合にのみコンテンツの再生及びムーブを許可するムーブ権利管理手段と、
前記チェックアウト手段は、前記ムーブ権利管理手段により再生及びムーブが許可された第一の記録媒体の第一のコンテンツを第二の記録媒体にコピーして第二のコンテンツとして保存し、前記第一のコンテンツが属する第一のコンテンツグループの前記権利数を前記第一のコンテンツの必要権利数減少させることを特徴としたコンテンツ移動管理システム。
【請求項２】
請求項１に記載のコンテンツ移動管理システムにおいて、
前記チェックアウト手段は、前記第二のコンテンツから前記第二のコンテンツグループを構成し、前記第二のコンテンツグループの権利数を前記第一のコンテンツの必要権利数と同数とすることを特徴とし、
前記チェックイン手段は前記第二のコンテンツグループ及び前記第二のコンテンツグループの権利数を削除し、前記第一のコンテンツグループの権利数に前記第二のコンテンツグループの権利数を追加することを特徴とした請求項１に記載のコンテンツ移動管理システム。
【請求項３】
請求項１に記載のコンテンツ移動管理システムにおいて、
前記チェックアウト手段は、前記第二のコンテンツの必要権利数は前記第一のコンテンツの前記必要権利数と同数とし、前記第二の記録媒体に既に記録されている前記第一のコンテンツグループに属しているコンテンツのコピーから構成される第二のコンテンツグループに前記第二のコンテンツを追加し、前記第二のコンテンツグループの権利数に前記第一のコンテンツの必要権利数を追加することを特徴とし、
前記チェックイン手段は前記ムーブ権利管理手段により再生及びムーブが許可された前記第二のコンテンツグループの第三のコンテンツを処理対象とし、前記第二のコンテンツグループの権利数を前記第三のコンテンツの必要権利数減少させ、前記第一のコンテンツグループの権利数に前記必要権利数を追加することを特徴とした請求項１に記載のコンテンツ移動管理システム。
【請求項４】
請求項１に記載のコンテンツ移動管理システムにおいて、前記第一のコンテンツグループの権利数は、前記オリジナルコンテンツの前記必要権利数の少なくとも同数且つ２倍未満とすることを特徴とした請求項１に記載のコンテンツ移動管理システム。
【請求項５】
請求項１に記載のコンテンツ移動管理システムにおいて、
前記コンテンツグループは、前記オリジナルコンテンツ及び前記オリジナルコンテンツを低画質化した一つの低画質コンテンツから構成されることを特徴とした請求項１に記載のコンテンツ移動管理システム。
【請求項６】
請求項５に記載のコンテンツ移動管理システムにおいて、前記オリジナルコンテンツの前記必要権利数は前記低画質コンテンツの前記必要権利数の複数倍以上の数を有することを特徴とした請求項５に記載のコンテンツ移動管理システム。
【請求項７】
請求項１に記載のコンテンツ移動管理システムにおいて、
前記コンテンツグループは、前記オリジナルコンテンツ及び前記オリジナルコンテンツを分割した一部である低画質コンテンツから構成されることを特徴とした請求項１に記載のコンテンツ移動管理システム。
【請求項８】
複数の記憶媒体と、チェックアウト手段と、チェックイン手段と、
前記記録媒体に記録されたコンテンツは前記コンテンツを構成する構成要素の集合であり、前記構成要素を組み合わせることにより異なる画質で再生することができ、
前記コンテンツは権利数を有し、前記構成要素は必要権利数を有し、
前記コンテンツの構成要素の部分集合において、前記構成要素の部分集合に属する各構成要素の必要権利数の総数が前記権利数以内であれば前記構成要素の部分集合を再生及びムーブすることを許可するムーブ権利管理手段と、
前記チェックアウト手段は、前記ムーブ権利管理手段により許可された第一のオリジナルコンテンツの構成要素の部分集合をコピーし、
前記コピーした構成要素の部分集合に属する各構成要素の必要権利数は前記許可された第一のオリジナルコンテンツの構成要素の部分集合に属する各構成要素の必要権利数と同数とし、
既にコピーされている前記第一のオリジナルコンテンツの構成要素のコピーから成る前記第一のコピーコンテンツに前記コピーした構成要素の部分集合を追加し、前記第一のオリジナルコンテンツの権利数から前記許可された構成要素の部分集合に属する各構成要素の必要権利数の総数を減少させ前記第一のコピーコンテンツの権利数に前記総数を追加し、
前記チェックイン手段は、前記ムーブ管理手段により許可された第二のコピーコンテンツの構成要素の部分集合を処理対象とし、前記第二のコピーコンテンツの権利数において前記許可された構成要素の部分集合に属する各構成要素の必要権利数の総数を減少させ前記第二のコピーコンテンツのオリジナルコンテンツの権利数に前記総数を追加することを特徴としたコンテンツ移動管理システム。
【請求項９】
請求項８に記載のコンテンツ移動管理システムにおいて、前記コンテンツは単体でコンテンツを再生することが可能な前記構成要素である一つの基本レイヤと、単体では再生不可能であるが前記基本レイヤと組み合わせることによって画質を向上させることができる付加的な前記構成要素である一つまたは複数の高位レイヤから構成され、
前記コンテンツの権利数は前記基本レイヤである前記構成要素の前記必要権利数及び前記高位レイヤである前記構成要素の前記必要権利数を合わせた数と等しいことを特徴とした請求項８に記載のコンテンツ移動管理システム。
【請求項１０】
請求項８に記載のコンテンツ移動管理システムにおいて、前記コンテンツは単体でコンテンツを再生することが可能な前記構成要素である一つの基本レイヤと、単体では再生不可能であるが前記基本レイヤと組み合わせることによって画質を向上させることができる付加的な前記構成要素である一つまたは複数の高位レイヤから構成され、
前記コンテンツの権利数は前記基本レイヤである前記構成要素の前記必要権利数の複数倍以上の数を有することを特徴とした請求項８に記載のコンテンツ移動管理システム。
【発明の詳細な説明】
【技術分野】
【０００１】
本発明は、著作権保護に対応したコンテンツのコピー方法に関し、特に、コンテンツの画質を低下させてコピーをするシステムに関するものである。
【背景技術】
【０００２】
デジタル放送は、画質劣化なしに多量のコピーが可能であることから著作権保護が課題であり、近年では、コピーの制限を行うための情報であるＣＣＩ（Ｃｏｐｙ  Ｃｏｎｔｒｏｌ  Ｉｎｆｏｒｍａｔｉｏｎ）が付加されている。ＣＣＩによって、コピーが不可能であるコピーネバー、一度だけコピーが可能であるコピーワンス、何度でもコピーが可能であるコピーフリーの３つのタイプのコピー制御が可能となり、地上波デジタル放送では、全ての放送コンテンツにコピーワンスの信号が付加されている。ＨＤＤレコーダ等のユーザ機器はデジタル放送コンテンツを受信すると、デジタル放送の著作権保護方法をＣＰＲＭ（Ｃｏｎｔｅｎｔ Ｐｒｏｔｅｃｔｉｏｎ ｆｏｒ  Ｒｅｃｏｒｄａｂｌｅ  Ｍｅｄｉａ）などのユーザ機器の著作権保護方法にマッピングしてコンテンツのコピー制御を行う。このとき、コピーワンスのデジタル放送のコンテンツをＨＤＤ（Ｈａｒｄ  Ｄｉｓｋ  Ｄｒｉｖｅ）に録画すると、録画したことで１度コピーしたと見なされコンテンツはコピー不可能となり、コンテンツは保存される記録媒体が固定されてしまう。これは、コンテンツを大容量なＨＤＤ等に蓄積しておき、携帯端末で利用する際にＳＤメモリカード等の記録媒体に適時取り出すといった利用形態が定着しつつあるのに対し、ユーザに大変な不便を強いる問題がある。そこで、コピーワンスのコンテンツは、コピー時にコピー不可能でムーブは可能というコピー制御方法にマッピングされ、ＨＤＤからＳＤメモリカード等の他の記録媒体へはムーブをすることによりコンテンツを取り出すことができる。ムーブはコンテンツのコピー後にはコピー元のコンテンツが削除される。また、ＳＤメモリカードにムーブされたコンテンツをＨＤＤへ戻す場合もムーブにのみにより可能である。このようにして、コピー不可能となったコンテンツの取り出しを可能にしている。
【０００３】
従来のコピーシステムでは、図１９に示すようにコピーワンスのコンテンツを第一の記録再生装置１にコピーし、第二の記録再生装置２にムーブ３する場合、以下のように動作する。まず、コピーワンスのコンテンツを第一の記録再生装置１にコピーする動作について説明する。コピーワンスのコンテンツが記録回路４の入力端子５に入力されると制御検出部６によりＣＣＩを検出し、記録制御部７により記録して良いか否かの判断を行う。良いと判断された場合は、暗号化部８で暗号化され、記録符号化部９によりＣＣＩをコピーワンスからコピー不可能になったことを意味するノーモアコピーに変更し記録媒体１０へコンテンツを格納する。次に、第一の記録再生装置１に記録されノーモアコピーとなったコンテンツを第二の記録再生装置２にムーブする動作について説明する。記録媒体１０からノーモアコピーのコンテンツが再生回路１１の入力端子１２に入力されると、制御検出手段１３によりＣＣＩが検出され再生制御部１４で再生出力して良いか否かの判断を行う。良いと判断された場合は、暗号解読部１５で暗号化されたコンテンツを解読し、信号出力部１６でＣＣＩがノーモアコピーからコピーワンスに変更し、第二の記録再生装置２へ出力し、再生制御部１４は記録符号化部９に記録媒体１０のコンテンツを消去する命令を出し、記録媒体１０のコンテンツは消去される。このようにして、コピー不可能となったコンテンツを他の記録媒体へ取り出すことができる（例えば、特許文献１参照。）
【特許文献１】特開２００２−２３８０２３号公報
【発明の開示】
【発明が解決しようとする課題】
【０００４】
しかしながら、従来の構成では、ムーブ元のコンテンツは消去されるため、ムーブ時にコンテンツを変更する場合には問題が生じる。例えば、ハイビジョン画質でＨＤＤに録画したコンテンツを低解像度の再生端末で再生するためにＳＤメモリカード等他の記録媒体にムーブする場合、ＭＰＥＧ４画質等に解像度を落としてムーブする。そして、高解像度の再生装置で再生するためにＳＤメモリカードから再びＨＤＤへコンテンツを戻した場合ＨＤＤで再生できるコンテンツはＭＰＥＧ４画質となってしまう。このように、一度コンテンツを画質を低下させたり分割したりしたら二度と元に戻せず、記憶容量やデータ解像度の異なる機器間連携時にはユーザの不満が生じるという課題を有していた。
【０００５】
また、コンテンツを高画質で入手したにも関わらず、画質を低下させて使用する場合も高画質コンテンツと同じ利用権利数しか与えられないため、低画質コンテンツ１つのみしか再生できずユーザの不満が生じるという課題を有していた。
【０００６】
本発明は、従来の課題を解決するもので、コピーが不可能となったコンテンツにおいて、コンテンツの画質を低下させたり分割したりしてムーブしてもコンテンツ入手時の状態に戻すことができ、著作権を守りつつ記憶容量やデータ解像度の異なる機器連携時の利便性を上げることができるコンテンツ移動管理システムを提供することを目的とする。
【０００７】
また、高画質コンテンツの画質低下時には画質に応じた利用権利が与えられるコンテンツ移動管理システムことを目的とする。
【課題を解決するための手段】
【０００８】
従来の課題を解決するために、本発明のコンテンツ移動管理システムは、複数の記憶媒体と、チェックアウト手段と、チェックイン手段と、前記記録媒体に記録された１つのオリジナルコンテンツに基づいて画質の異なる１つまたは複数の画質変換コンテンツを生成し、前記オリジナルコンテンツ及び前記画質変換コンテンツからなるコンテンツグループを構成する手段と、前記コンテンツグループはコンテンツを再生及びムーブをする権利数と、前記コンテンツグループに属するコンテンツは再生及びムーブをするために前記権利がいくつ必要であるかを表す必要権利数と、前記必要権利数は対応するコンテンツの画質に応じた数であり、再生及びムーブ対象のコンテンツの前記必要権利数と前記コンテンツが属するコンテンツグループの前記権利数を比較し、前記権利数が前記必要権利数以上存在する場合にのみコンテンツの再生及びムーブを許可するムーブ権利管理手段と、
前記チェックアウト手段は、前記ムーブ権利管理手段により再生及びムーブが許可された第一の記録媒体の第一のコンテンツを第二の記録媒体にコピーして第二のコンテンツとして保存し、前記第一のコンテンツが属する第一のコンテンツグループの前記権利数を前記第一のコンテンツの必要権利数減少させることを特徴としたものである。
【０００９】
さらに、コンテンツ移動管理システムにおいて、前記チェックアウト手段は、前記第二のコンテンツから前記第二のコンテンツグループを構成し、前記第二のコンテンツグループの権利数を前記第一のコンテンツの必要権利数と同数とすることを特徴とし、前記チェックイン手段は前記第二のコンテンツグループ及び前記第二のコンテンツグループの権利数を削除し、前記第一のコンテンツグループの権利数に前記第二のコンテンツグループの権利数を追加することを特徴としたものである。
【００１０】
さらに、コンテンツ移動管理システムにおいて、前記チェックアウト手段は、前記第二のコンテンツの必要権利数は前記第一のコンテンツの前記必要権利数と同数とし、前記第二の記録媒体に既に記録されている前記第一のコンテンツグループに属しているコンテンツのコピーから構成される第二のコンテンツグループに前記第二のコンテンツを追加し、前記第二のコンテンツグループの権利数に前記第一のコンテンツの必要権利数を追加することを特徴とし、前記チェックイン手段は前記ムーブ権利管理手段により再生及びムーブが許可された前記第二のコンテンツグループの第三のコンテンツを処理対象とし、前記第二のコンテンツグループの権利数を前記第三のコンテンツの必要権利数減少させ、前記第一のコンテンツグループの権利数に前記必要権利数を追加することを特徴としたものである。
【００１１】
さらに、コンテンツ移動管理システムにおいて、前記第一のコンテンツグループの権利数は、前記オリジナルコンテンツの前記必要権利数の少なくとも同数且つ２倍未満とすることを特徴としたものである。
【００１２】
さらに、コンテンツ移動管理システムにおいて、前記コンテンツグループは、前記オリジナルコンテンツ及び前記オリジナルコンテンツを低画質化した一つの低画質コンテンツから構成されることを特徴としたものである。
【００１３】
さらに、コンテンツ移動管理システムにおいて、前記オリジナルコンテンツの前記必要権利数は前記低画質コンテンツの前記必要権利数の複数倍以上の数を有することを特徴としたものである。
【００１４】
さらに、コンテンツ移動管理システムにおいて、前記コンテンツグループは、前記オリジナルコンテンツ及び前記オリジナルコンテンツを分割した一部である低画質コンテンツから構成されることを特徴としたものである。
【００１５】
また、複数の記憶媒体と、チェックアウト手段と、チェックイン手段と、前記記録媒体に記録されたコンテンツは前記コンテンツを構成する構成要素の集合であり、前記構成要素を組み合わせることにより異なる画質で再生することができ、前記コンテンツは権利数を有し、前記構成要素は必要権利数を有し、前記コンテンツの構成要素の部分集合において、前記構成要素の部分集合に属する各構成要素の必要権利数の総数が前記権利数以内であれば前記構成要素の部分集合を再生及びムーブすることを許可するムーブ権利管理手段と、前記チェックアウト手段は、前記ムーブ権利管理手段により許可された第一のオリジナルコンテンツの構成要素の部分集合をコピーし、前記コピーした構成要素の部分集合に属する各構成要素の必要権利数は前記許可された第一のオリジナルコンテンツの構成要素の部分集合に属する各構成要素の必要権利数と同数とし、既にコピーされている前記第一のオリジナルコンテンツの構成要素のコピーから成る前記第一のコピーコンテンツに前記コピーした構成要素の部分集合を追加し、前記第一のオリジナルコンテンツの権利数から前記許可された構成要素の部分集合に属する各構成要素の必要権利数の総数を減少させ前記第一のコピーコンテンツの権利数に前記総数を追加し、前記チェックイン手段は、前記ムーブ管理手段により許可された第二のコピーコンテンツの構成要素の部分集合を処理対象とし、前記第二のコピーコンテンツの権利数において前記許可された構成要素の部分集合に属する各構成要素の必要権利数の総数を減少させ前記第二のコピーコンテンツのオリジナルコンテンツの権利数に前記総数を追加することを特徴としたものである。
【００１６】
さらに、コンテンツ移動管理システムにおいて、前記コンテンツは単体でコンテンツを再生することが可能な前記構成要素である一つの基本レイヤと、単体では再生不可能であるが前記基本レイヤと組み合わせることによって画質を向上させることができる付加的な前記構成要素である一つまたは複数の高位レイヤから構成され、前記コンテンツの権利数は前記基本レイヤである前記構成要素の前記必要権利数及び前記高位レイヤである前記構成要素の前記必要権利数を合わせた数と等しいことを特徴としたものである。
【００１７】
さらに、コンテンツ移動管理システムにおいて、前記コンテンツは単体でコンテンツを再生することが可能な前記構成要素である一つの基本レイヤと、単体では再生不可能であるが前記基本レイヤと組み合わせることによって画質を向上させることができる付加的な前記構成要素である一つまたは複数の高位レイヤから構成され、前記コンテンツの権利数は前記基本レイヤである前記構成要素の前記必要権利数の複数倍以上の数を有することを特徴としたものである。
【発明の効果】
【００１８】
本発明のコンテンツ移動管理システムによれば、ムーブをチェックイン及びチェックアウトに置き換えるため、コンテンツの画質を低下したり分割したりしてもオリジナルコンテンツの状態に戻す事ができ、著作権を守りつつデータ解像度の異なる機器連携時の利便性を上げることができる。
【００１９】
また、変換した画質や分割した量や応じてチェックアウト可能権利数を設定するので、コンテンツを分割したり画質を低下したりしてチェックアウトする場合は複数のチェックアウト回数を割り当ることができ、ユーザの不満を取り除くことができる。
【発明を実施するための最良の形態】
【００２０】
以下に、本発明のコンテンツ移動管理システムの実施の形態を図面とともに詳細に説明する。
【実施例１】
【００２１】
図１は、本発明の実施例１におけるコンテンツ移動管理システムの構成図を示すものである。
【００２２】
図１において、ＨＤＤレコーダ１０１は、デジタル放送コンテンツを受信する受信部１０２と、受信したコンテンツを記録するＨＤＤ（Ｈａｒｄ  Ｄｉｓｋ  Ｄｒｉｖｅ）１０３と、デジタル放送の著作権保護方式をＣＰＲＭ（Ｃｏｎｔｅｎｔ Ｐｒｏｔｅｃｔｉｏｎ ｆｏｒ  Ｒｅｃｏｒｄａｂｌｅ  Ｍｅｄｉａ）などのユーザ機器の著作権方式にマッピングする著作権マッピング部１０４と、コンテンツの解像度を低下させる解像度変換部１０５と、画質に応じてコンテンツの権利数の設定と権利の割り当てを行う権利設定部１０６と、録画したコンテンツをデコードする再生部１０７と、再生部１０７によりデコードされたコンテンツを表示する出力部１０８と、ユーザからの様々な要求を受け付ける入力部１０９と、ＳＤメモリカードを備えたＳＤメモリカードドライブ１１０から構成される。制御部１１１は、ＨＤＤレコーダの様々な制御を行うためのプログラムを有し、各部と制御信号のやり取りを行う。ＨＤＤ１０２とＳＤメモリカード１１０間のコンテンツの書き込みは、マッピングされた著作権方式と設定された権利を元にチェックアウト１１２及びチェックイン１１３することにより行われる。チェックアウト１１２とは、ＨＤＤ１０３のコンテンツをＳＤメモリカード１１０へコピーし、コピーしたコンテンツを再生するために必要とされる数の権利をＨＤＤ１０３から減少させ、ＳＤメモリカード１１０へ追加することであり、チェックイン１１３とは、チェックアウト１１２によりコピーされたＳＤメモリカード１１０のコンテンツをＳＤメモリカード１１０から削除し、削除したコンテンツが再生するために必要であった数の権利をＳＤメモリカード１１０から減少させ、ＨＤＤ１０３へ追加することである。チェックアウト１１２により書き込まれたＳＤメモリカード１１０のコンテンツは、ＳＤメモリプレーヤ１１３等で再生が可能である。コンテンツ及び権利数などの管理情報を記録媒体に書き込む場合は書き込み側と書き込まれる側で機器の正当性を確認する処理を行い、正当性が確認された場合のみ書き込みが許可される。以降の説明ではこの手順は省略するが、コンテンツ書き込みの際には行われ、正当性が確認されなかった場合は全ての処理を終了するものとする。また、不正にコピーされることを防止するためにコンテンツは暗号化されてＨＤＤ１０３及びＳＤメモリカード１１０に記録される。
【００２３】
尚、ＨＤＤレコーダは、Ｂｌｕ―ｒａｙ  Ｄｉｓｋ  Ｄｒｉｖｅを備えたＢｌｕ―ｒａｙ  Ｄｉｓｋレコーダでも良く、ＳＤメモリカードドライブは他の記録媒体のドライブでも良い。
【００２４】
図２は、デジタル放送コンテンツをハイビジョン画質で録画し、解像度の低いＭＰＥＧ４画質に変換してチェックアウトする場合の権利数の設定例を示すものである。
【００２５】
図２において、必要権利数２０１とはコンテンツを再生及びチェックアウトするために必要とされる権利数であり、コンテンツが高画質であるハイビジョンコンテンツ２０２の権利数は２で、ハイビジョンコンテンツを画質変換してできる低画質のＭＰＥＧ４コンテンツ２０３の必要権利数は１であり、この２つのコンテンツを再生及びチェックアウトするための権利数として２が与えられる。従って、このコンテンツは、ハイビジョン画質では一回のチェックアウトが可能であり、ＭＰＥＧ４コンテンツでは２回のチェックアウトが可能である。
【００２６】
図３は、図２におけるコンテンツの再生可能パターンを示すものである。
【００２７】
図３において、ＨＤＤに録画された再生可能なハイビジョンコンテンツ３０１は、ＭＰＥＧ４画質でＳＤメモリカードへチェックアウトするとＨＤＤの権利数１がＳＤメモリカードに移動する。このとき、必要権利数が２であるＨＤＤのハイビジョン画質のコンテンツは残権利数不足のため再生及びチェックアウトが不可能となり、必要権利数１のＭＰＥＧ４画質コンテンツとして再生及びチェックアウト可能となる３０２。更に、ＨＤＤのＭＰＥＧ４コンテンツをＳＤメモリカードへチェックアウトするとＨＤＤの残権利数は０となりコンテンツはいずれの画質でも再生及びチェックアウトが不可能となる３０３。こうしてチェックアウトされたＳＤメモリカードのコンテンツをＨＤＤにチェックインする場合、ＳＤメモリカードのＭＰＥＧ４画質コンテンツを１つチェックインするとＨＤＤのコンテンツはＭＰＥＧ４画質コンテンツとして再生及びチェックアウト可能となり３０２、更にＳＤメモリカードのＭＰＥＧ４コンテンツをもう一つチェックインするとＨＤＤの残権利数が２となるためハイビジョン画質コンテンツとして再生及びチェックアウト可能となる３０１。また、ハイビジョン画質のコンテンツをチェックアウトした場合、ＨＤＤの残権利数は０となりいずれのコンテンツも再生及びチェックアウト不可能となり３０４、チェックインをすれば再生及びチェックアウトが可能となる３０１。このように、再生可能な高画質コンテンツは１つしか存在せず、ムーブと同等の著作権保護ができているといえる。
【００２８】
図４から図６は、本発明の実施例１におけるコンテンツ移動管理システムのＨＤ及びＳＤメモリカードにおけるプロテクト領域及びプロテクト領域に記録される管理情報を示すものである。
【００２９】
図４において、プロテクト領域はＴｉｔｌｅ  Ｋｅｙ＆Ｕｓａｇｅ  Ｒｕｌｅ  Ｍａｓｔｅｒ  Ｍａｎａｇｅｒ  ｆｉｌｅ（ＴＫＵＲＭＭＧ）４０１とＴｉｔｌｅ  Ｋｅｙ＆Ｕｓａｇｅ  Ｒｕｌｅ  Ｍａｎａｇｅｒ  ｆｉｌｅ（ＴＫＵＲＭＧ）４０２とＣｈｅｃｋ  Ｏｕｔ  Ｃｏｎｔｒｏｌ  ｆｉｌｅ４０３が格納されている。コンテンツは暗号化されてデータ領域に格納され、そのコンテンツを復号化するためのキー情報等重要なデータがこのプロテクト領域に格納されている。そのため、プロテクト領域の読み書きは、互いの正当性を確認し合う相互認証が成功した機器のみが可能となる。相互認証はこの領域を読み書きする毎に行われ不正な読み書きを防止する。以降の説明では相互認証については省略するが、プロテクト領域の読み書きの際には行われ、相互認証が失敗した場合は全ての処理を終了するものとする。
【００３０】
図５において、ＴＫＵＲＭＧ４０２は、Ｔｉｔｌｅ  Ｋｅｙ＆Ｕｓａｇｅ  Ｒｕｌｅ  Ｍａｎａｇｅｒ  Ｅｎｔｒｙ＃１〜＃ｎ（ＴＫＵＲＥ＃１〜＃ｎ）５０１と、ＴＫＵＲＥ５０１の使用状況の情報が記録されたＴｉｔｌｅ  Ｋｅｙ＆Ｕｓａｇｅ  Ｒｕｌｅ  Ｍａｎａｇｅｒ  Ｉｎｆｏｒｍａｔｉｏｎ（ＴＫＵＲＭＧＩ）５０２から構成される。ＴＫＵＲＥ５０１は暗号化されたコンテンツを復号化するためのキー情報が格納される暗号化キー５０３と、Ｍｏｖｅの許可情報であるＭｏｖｅ  Ｃｏｎｔｒｏｌ  Ｉｎｆｏｒｍａｔｉｏｎ５０４とＣｏｐｙの許可情報であるＣｏｐｙ  Ｃｏｎｔｒｏｌ  Ｉｎｆｏｒｍａｔｉｏｎ５０５と、ＴＫＵＲＥの正当性をチェックするための情報である電子透かし情報５０６が格納されている。
【００３１】
図６において、Ｃｈｅｃｋ  Ｏｕｔ  Ｃｏｎｔｒｏｌ  ｆｉｌｅ４０３は、Ｃｈｅｃｋ  Ｏｕｔ  Ｃｏｎｔｒｏｌ  Ｅｎｔｒｙ＃１〜＃ｎ６０１から構成される。Ｃｈｅｃｋ  Ｏｕｔ  Ｃｏｎｔｒｏｌ  Ｅｎｔｒｙ６０１は高画質であるオリジナルコンテンツのＩＤが格納されるＰＲＧ＿ＩＤ＃１（６０２）と、ＰＲＧ＿ＩＤ＃１（６０２）のコンテンツをチェックアウトまたは再生するために必要な権利数であるＲＥＱ＿ＮＵＭ＃１（６０３）と、ＰＲＧ＿ＩＤ＃１（６０２）の画質を低下させたコンテンツのＩＤであるＰＲＧ＿ＩＤ＃２（６０４）〜ＰＲＧ＿ＩＤ＃ｎ（６０５）とＰＲＧ＿ＩＤ＃２（６０４）〜ＰＲＧ＿ＩＤ＃ｎ（６０５）のコンテンツをチェックアウトまたは再生するために必要な権利数であるＲＥＱ＿ＮＵＭ＃２（６０６）〜ＲＥＱ＿ＮＵＭ＃ｎ（６０７）と、ＰＲＧ＿ＩＤ＃１（６０２）及びＰＲＧ＿ＩＤ＃２（６０４）のコンテンツに与えられた再生及びチェックアウト権利の総数であるＴＯＴＡＬ＿ＮＵＭ（６０８）から構成され、例えば、ＰＲＧ＿ＩＤ＃１（６０２）のコンテンツがチェックアウトされたならば、Ｔｏｔａｌ  ＮＵＭ（６０６）からＲＥＱ＿ＮＵＭ＃１（６０３）が引かれ、チェックインされたならば足される。
【００３２】
図７は、本発明の実施例１におけるデジタル放送コンテンツを録画する方法を示すものである。
【００３３】
図７において、ＨＤＤレコーダはデジタル放送のコンテンツを受信すると７０１、ＣＣＩをチェックし７０２、コピーネバーであれば録画は許可されないため処理を終了し７０３、コピーフリー７０４またはコピーワンス７０５の場合はコンテンツをＨＤＤに記録する。記録されたコンテンツはＩＤで識別され、ＩＤは記録時に空いているものが割り当てられる。コピーフリーの場合は、記録したコンテンツに対応するＴＫＵＲＥのＣｏｐｙ  Ｃｏｎｔｒｏｌ  ｉｎｆｏｒｍａｔｉｏｎに無制限にコピーを許可することを示す値を設定する７０６。また、コピーワンスの場合は、Ｃｏｐｙ  Ｃｏｎｔｒｏｌ  ｉｎｆｏｒｍａｔｉｏｎにコピーを許可しないことを示す値を設定し７０７、Ｃｈｅｃｋ  Ｏｕｔ  Ｃｏｎｔｒｏｌ  Ｅｎｔｒｙに、記録したコンテンツの再生及びチェックアウトの権利として２を割り当て、コンテンツのＩＤとその必要権利数として２を設定する７０８。
【００３４】
図８は、本発明の実施例１におけるＨＤＤからＳＤメモリカードにチェックアウトする方法を示すものである。
【００３５】
図８において、ＨＤＤレコーダはチェックアウトするコンテンツの選択を受け付けると８０１、チェックアウトする画質がオリジナルの画質の場合は８０２チェックアウトコンテンツに対応するＣｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃１以上であれば８０３コンテンツをＳＤメモリカードにコピーし８０４、Ｔｏｔａｌ＿ＮｕｍからＲｅｑ＿Ｎｕｍ＃１の値を減算する８０５。一方、画質を落としてチェックアウトする場合は８０２、オリジナルコンテンツを低画質に変換したものが存在しなければ８０６作成してＩＤが割り当てられＨＤＤに記録し８０７、権利数を設定する８０８。そして、チェックアウトコンテンツに対応するＣｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃２以上であれば８０９コンテンツをＳＤメモリカードにコピーし８１０、Ｔｏｔａｌ＿ＮｕｍからＲｅｑ＿Ｎｕｍ＃２の値を減算する８１１。このとき、ＳＤメモリカードでは、コピーされたコンテンツに対応するＣｈｅｃｋ  Ｏｕｔ  Ｃｏｎｔｒｏｌ  ＥｎｔｒｙのＴｏｔａｌ＿Ｎｕｍに同数の権利が追加される。尚、いずれのコンテンツをチェックアウトする場合も残権利数不足の場合はエラーメッセージを表示して８１２処理を終了する。
【００３６】
図９は、本発明の実施例１におけるＳＤメモリカードからＨＤＤにチェックインする方法を示すものである。
【００３７】
図９において、ＨＤＤレコーダはチェックインするコンテンツの選択を受け付けると９０１、チェックインするコンテンツがオリジナル画質なら９０２Ｃｈｅｃｋ  Ｏｕｔ  Ｃｏｎｔｒｏｌ  ＥｎｔｒｙのＴｏｔａｌ＿ＮｕｍにＲｅｑ＿Ｎｕｍ＃１を加えて９０３、ＳＤメモリカードのチェックインコンテンツを削除する９０４。一方、チェックインするコンテンツがオリジナルのコンテンツを低画質にしたものであれば９０２、Ｃｈｅｃｋ  Ｏｕｔ  Ｃｏｎｔｒｏｌ  ＥｎｔｒｙのＴｏｔａｌ＿ＮｕｍにＲｅｑ＿Ｎｕｍ＃２を加えて９０５、ＳＤメモリカードのチェックインコンテンツを削除する９０４。このとき、ＳＤメモリカードでは削除されたコンテンツに対応するＣｈｅｃｋ  Ｏｕｔ  Ｃｏｎｔｒｏｌ  ＥｎｔｒｙのＴｏｔａｌ＿ＮｕｍからＲｅｑ＿Ｎｕｍ＃２の権利数が減算される。また、チェックインコンテンツは削除しなくても良いものとする。
【００３８】
図１０は、本発明の実施例１におけるＨＤＤ及びＳＤメモリカードに記録されているコンテンツを再生可能か否か判断する方法を示すものである  図１０において、再生するコンテンツの選択を受け付けると１００１、再生する画質がオリジナルの画質の場合１００２、Ｃｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃１以上であれば１００３オリジナル画質のコンテンツを再生し１００４、そうでなければ権利不足で終了する。一方、再生する画質が低画質の場合１００２、Ｃｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃１以上であれば１００５低画質コンテンツを再生し１００６、そうでなければ権利不足で終了する。
【００３９】
尚、本実施例１のＳＤメモリカードにおいて、低画質コンテンツと高画質コンテンツを１つのコンテンツグループとして関連付けずに記録する場合はＲＥＱ＿ＮＵＭ＃ｎを管理する必要はなく、チェクイン時にはコンテンツ及びコンテンツに関連した管理情報を削除すれば良い。
【００４０】
以上のように、本実施例１においては、ムーブをチェックイン・チェックアウトに置き換えることにより、画質を低下させてもオリジナルコンテンツの画質に戻す事ができ、著作権を守りつつデータ解像度の異なる機器連携時の利便性を上げることができる。更に、画質に応じて権利数を設定するので、画質を低下させた場合は、複数のチェックアウト権利を割り当てることができ、ユーザの不満を取り除くことができる。
【実施例２】
【００４１】
図１１は、本発明の実施例２におけるスケーラビリティ機能を有したデジタル放送コンテンツを録画しチェックアウトする場合の権利の設定例である。実施例２は、実施例１を示す図１及び図４〜６と同じ構成である。
【００４２】
図１１において、スケーラビリティ機能を有したコンテンツは、低画質の基本レイヤコンテンツ１１０１と、基本レイヤコンテンツの画質を向上させるための高位レイヤコンテンツ１１０２から成る。例えば、ＳＮＲ（Ｓｉｇｎａｌ  ｔｏ  Ｎｏｉｓｅ  Ｒａｔｉｏ）スケーラビリティを用いたコンテンツはこのような構成となり、基本レイヤコンテンツのみで低画質再生、基本レイヤコンテンツ１１０１と高位レイヤコンテンツを用いて高画質再生が可能となる。この基本レイヤコンテンツと高位レイヤコンテンツを分離し、個々にチェックアウト及び再生を行う。必要権利数１１０３とはコンテンツを再生及びチェックアウトするために必要とされる権利数であり、基本レイヤコンテンツ１１０１の必要権利数は２で、高位レイヤコンテンツ１１０２の必要権利数は３であり、この２つのコンテンツを再生及びチェックアウトするための権利数として５が割り当てられる。従って、このコンテンツは、基本レイヤコンテンツ１１０１と高位レイヤコンテンツ１１０２を用いた高画質コンテンツとしては各１回のチェックアウトが可能であり、基本レイヤコンテンツ１１０１のみの低画質コンテンツとしては２回のチェックアウトが可能である。
【００４３】
図１２は、図１１におけるコンテンツの再生可能パターンを示すものである。
【００４４】
図１２において、録画したＨＤＤコンテンツ１２０１のうち基本レイヤコンテンツのみをＳＤメモリカードへチェックアウトするとＨＤＤの権利数２がＳＤメモリカードへ移動する。このとき、ＨＤＤでは残権利数が３となり、基本レイヤコンテンツと高位レイヤコンテンツを用いて高画質で再生するには残権利数不足で不可能となり、基本レイヤコンテンツのみの再生可能となる１２０２。このとき、高位レイヤコンテンツのみの再生も可能であるが、基本レイヤコンテンツがなければ正常な再生はできない。更に、基本レイヤコンテンツをＳＤメモリカードにチェックアウトするとＨＤＤの残権利数が１となり、基本レイヤコンテンツも高位レイヤコンテンツも再生は不可能となる１２０３。こうしてチェックアウトされたＳＤメモリカードの基本レイヤコンテンツをＨＤＤに１つチェックインすると、ＨＤＤで基本レイヤが再生可能となり１２０２、更に１つチェックインするとＨＤＤの残権利数が５となり基本レイヤコンテンツと高位レイヤコンテンツを用いた高画質再生が可能となる１２０１。また、基本レイヤコンテンツと高位レイヤコンテンツを１回ずつチェックアウトした場合は、ＳＤメモリカードで高画質再生が可能となり、ＨＤＤでは残権利数が０になり再生が不可能となり１２０４、チェックイン時に再び再生可能となる１２０１。このように、高画質コンテンツとして再生可能なコンテンツは一対しか存在せず、ムーブと同等の著作権保護ができているといえる。
【００４５】
図６は、本発明の実施例２におけるコンテンツ移動管理システムのプロテクト領域にあるＣｈｅｃｋ  Ｏｕｔ  Ｃｏｎｔｒｏｌ  ｆｉｌｅであり、図６において、構成は実施例１と同じであるが、ＰＲＧ＿ＩＤ＃１には高位レイヤコンテンツのＩＤが記録され、ＰＲＧ＿ＩＤ＃２には基本レイヤコンテンツのＩＤが記録される。
【００４６】
図１３は、本発明の実施例２におけるデジタル放送コンテンツを録画する方法を示すものである。
【００４７】
図１３において、ＨＤＤレコーダはデジタル放送のコンテンツを受信すると１３０１、ＣＣＩをチェックし１３０２、コピーネバーであれば録画は許可されないため処理を終了し１３０３、コピーフリーまたはコピーワンスの場合は基本レイヤと高位レイヤを分離してＨＤＤに記録する１３０４。記録されたコンテンツはＩＤで識別され、ＩＤは記録時に空いているものが割り当てられる。コピーフリーの場合は、記録したコンテンツに対応するＴＫＵＲＥのＣｏｐｙ  Ｃｏｎｔｒｏｌ  ｉｎｆｏｒｍａｔｉｏｎに無制限にコピーを許可することを示す値を設定する１３０５。コピーワンスの場合は、Ｃｏｐｙ  Ｃｏｎｔｒｏｌ  ｉｎｆｏｒｍａｔｉｏｎにコピーを許可しないことを示す値を設定し１３０６、Ｃｈｅｃｋ  Ｏｕｔ  Ｃｏｎｔｒｏｌ  ＥｎｔｒｙにコンテンツのＩＤと図１１の通り権利数を設定する１３０７。
【００４８】
図１４は、本発明の実施例２におけるＨＤＤからＳＤメモリカードにチェックアウトする方法を示すものである。
【００４９】
図１４において、チェックアウトコンテンツの選択を受け付けると１４０１、チェックアウトする画質がオリジナルの画質の場合は１４０２チェックアウトコンテンツに対応するＣｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃１とＲｅｑ＿Ｎｕｍ＃２を合計した数以上であれば１４０３ＰＲＧ＿ＩＤ＃１とＰＲＧ＿ＩＤ＃２のコンテンツをＳＤメモリカードにコピーし１４０４、Ｔｏｔａｌ＿ＮｕｍからＲｅｑ＿Ｎｕｍ＃１とＲｅｑ＿Ｎｕｍ＃２を合計した値を減算する１４０５。一方、チェックアウトするコンテンツが低画質コンテンツの画質を向上させるためのコンテンツの場合は１４０２、Ｔｏｔａｌ＿ＮｕｍがＲｅｑ＿Ｎｕｍ＃１以上であれば１４０６コンテンツをＳＤメモリカードにコピーし１４０７、Ｔｏｔａｌ＿ＮｕｍからＲｅｑ＿Ｎｕｍ＃１の値を減算する１４０８。更に、チェックアウトするコンテンツが低画質コンテンツの場合は１４０２、Ｔｏｔａｌ＿ＮｕｍがＲｅｑ＿Ｎｕｍ＃２以上であれば１４０９コンテンツをＳＤメモリカードにコピーし１４１０、Ｔｏｔａｌ＿ＮｕｍからＲｅｑ＿Ｎｕｍ＃２の値を減算する１４１１。いずれのコンテンツをチェックアウトする場合も残権利数不足の場合はエラーメッセージを表示して１４１２処理を終了する。尚、コンテンツコピー時にＳＤメモリカードでは、コピーされたコンテンツに対応するＣｈｅｃｋ  Ｏｕｔ  Ｃｏｎｔｒｏｌ  ＥｎｔｒｙのＴｏｔａｌ＿ＮｕｍにＨＤＤで減算された数と同数の権利が追加される。また、コピーされたコンテンツにおける画質が異なるコンテンツが既に存在する場合はそのコンテンツに対応するＣｈｅｃｋ  Ｏｕｔ  Ｃｏｎｔｒｏｌ  Ｅｎｔｒｙに権利情報やＩＤ情報が追加される。
【００５０】
図１５は、本発明の実施例２におけるＳＤメモリカードからＨＤＤにチェックインする方法を示すものである。
【００５１】
図１５において、チェックインコンテンツの選択を受け付けると１５０１、チェックインするコンテンツがオリジナル画質なら１５０２Ｃｈｅｃｋ  Ｏｕｔ  Ｃｏｎｔｒｏｌ  ＥｎｔｒｙのＴｏｔａｌ＿ＮｕｍにＲｅｑ＿Ｎｕｍ＃１とＲｅｑ＿Ｎｕｍ＃２を加えて１５０３、ＳＤメモリカードのチェックインコンテンツを削除する１５０４。一方、チェックインするコンテンツが画質向上のためのコンテンツであれば１５０２、Ｃｈｅｃｋ  Ｏｕｔ  Ｃｏｎｔｒｏｌ  ＥｎｔｒｙのＴｏｔａｌ＿ＮｕｍにＲｅｑ＿Ｎｕｍ＃１を加えて１５０５、ＳＤメモリカードのチェックインコンテンツを削除する１５０４。更に、チェックインするコンテンツが低画質であれば１５０２、Ｃｈｅｃｋ  Ｏｕｔ  Ｃｏｎｔｒｏｌ  ＥｎｔｒｙのＴｏｔａｌ＿ＮｕｍにＲｅｑ＿Ｎｕｍ＃２を加えて１５０６、ＳＤメモリカードのチェックインコンテンツを削除する１５０４。
【００５２】
図１６は、本発明の実施例２におけるＨＤＤ及びＳＤメモリカードに記録されているコンテンツを再生可能か否か判断する方法を示すものである。
【００５３】
図１６において、再生するコンテンツの選択を受け付けると１６０１、再生する画質がオリジナルの画質の場合１６０２、Ｃｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃１とＲｅｑ＿Ｎｕｍ＃２の合計以上であれば１６０３ＰＲＧ＿ＩＤ＃１とＰＲＧ＿ＩＤ＃２のコンテンツを用いてオリジナル画質で再生し１６０４、そうでなければ権利不足で終了する。一方、再生する画質が低画質の場合１６０２、Ｃｈｅｃｋ  Ｏｕｔ  Ｃｏｎｔｒｏｌ  ＥｎｔｒｙのＴｏｔａｌ＿ＮｕｍがＲｅｑ＿Ｎｕｍ＃２以上であれば１６０５再生し１６０６、そうでなければ権利不足で終了する。
【００５４】
以上のように、本実施例２においては、スケーラビリティ機能を有したコンテンツにおいて基本レイヤ及び高位レイヤ別々に権利数を設定してチェックアウトすることにより、画質を低下させた場合は複数のチェックアウト権利を割り当ることができ、チェックアウトした低画質のコンテンツをオリジナル画質のコンテンツにしたい場合は、低画質コンテンツをチェックインする手間を要することなく、画質向上のためのコンテンツをチェックアウトするだけでオリジナル画質にすることができる。
【実施例３】
【００５５】
図１７は、本発明の実施例２におけるデジタル放送コンテンツを録画し分割してチェックアウトする場合の権利の設定例である。実施例３は、実施例１を示す図１及び図４〜６と同じ構成である。
【００５６】
図１７は、デジタル放送コンテンツを録画し、コンテンツの前半部と後半部に分割してチェックアウトする場合の権利数の設定例を示すものである。
【００５７】
図１７において、必要権利数１７０１とはコンテンツを再生及びチェックアウトするために必要とされる権利数であり、分割する前のフルコンテンツ１７０２の権利数は２で、フルコンテンツを分割してできる前半コンテンツ１７０３及び後半コンテンツ１７０４の必要権利数は１であり、この２つのコンテンツを再生及びチェックアウトするための権利数として２が与えられる。従って、このコンテンツは、フルコンテンツでは一回のチェックアウトが可能であり、分割されたコンテンツでは２回のチェックアウトが可能である。
【００５８】
図１８は、図１７におけるコンテンツの再生可能パターンを示すものである。
【００５９】
図１８において、ＨＤＤに録画された再生可能なフルコンテンツ１８０１は、分割して前半部をＳＤメモリカードへチェックアウトするとＨＤＤの権利数１がＳＤメモリカードに移動する。このとき、必要権利数が２であるフルコンテンツは残権利数不足のため再生及びチェックアウトが不可能となり、必要権利数１の後半コンテンツとして再生及びチェックアウト可能となる１８０２。また、前半部ではなく後半部をチェックアウトした場合は、ＨＤＤでは前半部が再生及びチェックアウト可能となる１８０３。更に、ＨＤＤの子後半コンテンツまたは前半コンテンツをＳＤメモリカードへチェックアウトするとＨＤＤの残権利数は０となりＨＤＤのコンテンツは再生及びチェックアウトが不可能となる１８０４。こうしてチェックアウトされたＳＤメモリカードのコンテンツをＨＤＤにチェックインする場合、ＳＤメモリカードの前半コンテンツをチェックインするとＨＤＤでは前半コンテンツが、ＳＤメモリカードでは後半コンテンツが再生可能となり１８０３、更にＳＤメモリカードの後半コンテンツをチェックインするとＨＤＤの残権利数が２となるためフルコンテンツとして再生及びチェックアウト可能となる１８０１。また、フルコンテンツをチェックアウトした場合、ＨＤＤの残権利数は０となりいずれのコンテンツも再生及びチェックアウト不可能となり１８０５、チェックインをすれば再生及びチェックアウトが可能となる１８０１。このように、全ての再生可能なコンテンツを合わせてもフルコンテンツと同等であるため、ムーブと同等の著作権保護ができているといえる。
【００６０】
図６は、本発明の実施例３におけるコンテンツ移動管理システムのプロテクト領域にあるＣｈｅｃｋ  Ｏｕｔ  Ｃｏｎｔｒｏｌ  ｆｉｌｅであり、図６において、構成は実施例１と同じであるが、ＰＲＧ＿ＩＤ＃１にはフルコンテンツのＩＤが記録され、ＰＲＧ＿ＩＤ＃２には前半コンテンツのＩＤがＰＲＧ＿ＩＤ＃３には後半コンテンツのＩＤが記録される。
【００６１】
また、コンテンツの録画、チェックイン、チェックアウト及びコンテンツが再生可能か否かの判断の基本的な処理動作は実施例１と同様で、実施例３では図７からに図１０において高画質コンテンツがフルコンテンツに相当し、低画質コンテンツが前半コンテンツまたは後半コンテンツが相当する。
【００６２】
以上のように、本実施例１においては、ムーブをチェックイン・チェックアウトに置き換えることにより、コンテンツを分割させてもオリジナルコンテンツの状態に戻す事ができ、著作権を守りつつ記憶容量の異なるメディア連携時の利便性を上げることができる。更に、コンテンツ量に応じて権利数を設定するので、分割した場合は、分割したコンテンツ毎にチェックアウト権利を割り当てることができ、ユーザの不満を取り除くことができる。
【産業上の利用可能性】
【００６３】
本発明にかかるコンテンツ移動管理システムは、著作権保護されたコンテンツにおいて画質を低下させたムーブに動作に相当する動作を行ってもコンテンツをオリジナルの画質に戻すことができる手段と、画質を低下させたムーブに相当する動作の場合には複数の移動権利を割り当てることができる手段を有し、コピーワンスのコンテンツを扱うシステム等として有用であり、特に、データ解像度の異なる機器と連携するコピーシステムの場合に適している。
【図面の簡単な説明】
【００６４】
【図１】本発明の実施例１におけるコンテンツ移動管理システムの構成図
【図２】本発明の実施例１における権利数の設定例の説明図
【図３】本発明の実施例１におけるコンテンツの再生パターンの説明図
【図４】本発明の実施例１における記録媒体のプロテクト領域のディレクトリ構成図
【図５】本発明の実施例１におけるＴＫＵＲＭＧの構成図
【図６】本発明の実施例１におけるＣｈｅｃｋ  Ｏｕｔ  Ｃｏｎｔｒｏｌ  ｆｉｌｅの構成図
【図７】本発明の実施例１におけるデジタル放送コンテンツの録画におけるＨＤＤレコーダの流れ図
【図８】本発明の実施例１におけるチェックアウトの流れ図
【図９】本発明の実施例１におけるチェックインの流れ図
【図１０】本発明の実施例１におけるコンテンツが再生可能か否の判断処理の流れ図
【図１１】本発明の実施例２における権利数の設定例の説明図
【図１２】本発明の実施例２におけるコンテンツの再生パターンの説明図
【図１３】本発明の実施例２におけるデジタル放送コンテンツの録画におけるＨＤＤレコーダの流れ図
【図１４】本発明の実施例２におけるチェックアウトの流れ図
【図１５】本発明の実施例２におけるチェックインの流れ図
【図１６】本発明の実施例２におけるコンテンツが再生可能か否の判断処理の流れ図
【図１７】本発明の実施例３における権利数の設定例の説明図
【図１８】本発明の実施例３におけるコンテンツの再生パターンの説明図
【図１９】従来のコンテンツ移動管理システムの構成図
【符号の説明】
【００６５】
１        第一の記録再生装置
２        第二の記録再生装置
３        ムーブ
４        記録回路
５        入力端子
６        制御検出部
７        記録制御部
８        暗号化部
９        記録符号化部
１０      記録媒体
１１      再生回路
１２      入力端子
１３      制御検出手段
１４      再生制御部
１５      暗号解読部
１６      信号出力部
１０１    ＨＤＤレコーダ
１０２    受信部
１０３    ＨＤＤ（Ｈａｒｄ  Ｄｉｓｋ  Ｄｒｉｖｅ）
１０４    著作権方式マッピング部
１０５    解像度変換部
１０６    権利設定部
１０７    再生部
１０８    出力部
１０９    入力部
１１０    ＳＤメモリカード
１１１    制御部
１１２    チェックアウト
１１３    チェックイン
２０１    必要権利数
２０２    ハイビジョンコンテンツ
２０３    ＭＰＥＧ４コンテンツ
４０１    Ｔｉｔｌｅ  Ｋｅｙ＆Ｕｓａｇｅ  Ｒｕｌｅ  Ｍａｓｔｅｒ  Ｍａｎａｇｅｒ  ｆｉｌｅ
４０２    Ｔｉｔｌｅ  Ｋｅｙ＆Ｕｓａｇｅ  Ｒｕｌｅ  Ｍａｎａｇｅｒ  ｆｉｌｅ
４０３    Ｃｈｅｃｋ  Ｏｕｔ  Ｃｏｎｔｒｏｌ  ｆｉｌｅ
５０１    Ｔｉｔｌｅ  Ｋｅｙ＆Ｕｓａｇｅ  Ｒｕｌｅ  Ｍａｎａｇｅｒ  Ｅｎｔｒｙ＃１〜＃ｎ
５０２    Ｔｉｔｌｅ  Ｋｅｙ＆Ｕｓａｇｅ  Ｒｕｌｅ  Ｍａｎａｇｅｒ  Ｉｎｆｏｒｍａｔｉｏｎ
５０３    ＴＫＵＲＥ  Ｕｓｅｄ  ｆｌａｇ
５０３    暗号化キー
５０４    Ｍｏｖｅ  Ｃｏｎｔｒｏｌ  Ｉｎｆｏｒｍａｔｉｏｎ
５０５    Ｃｏｐｙ  Ｃｏｎｔｒｏｌ  Ｉｎｆｏｒｍａｔｉｏｎ
５０６    電子透かし情報
６０１    Ｃｈｅｃｋ  Ｏｕｔ  Ｃｏｎｔｒｏｌ  Ｅｎｔｒｙ＃１〜＃ｎ
６０２    ＰＲＧ＿ＩＤ＃１
６０３    ＲＥＱ＿ＮＵＭ＃１
６０４    ＰＲＧ＿ＩＤ＃２
６０５    ＰＲＧ＿ＩＤ＃ｎ
６０６    ＲＥＱ＿ＮＵＭ＃２
６０７    ＲＥＱ＿ＮＵＭ＃ｎ
６０８    ＴＯＴＡＬ＿ＮＵＭ
１１０１  基本レイヤコンテンツ
１１０２  高位レイヤコンテンツ
１１０３  必要権利数
１７０１  フルコンテンツ
１７０３  前半コンテンツ
１７０４  後半コンテンツ
【図１】
2008033491.tif 000003
【図２】
2008033491.tif 000004
【図３】
2008033491.tif 000005
【図４】
2008033491.tif 000006
【図５】
2008033491.tif 000007
【図６】
2008033491.tif 000008
【図７】
2008033491.tif 000009
【図８】
2008033491.tif 000010
【図９】
2008033491.tif 000011
【図１０】
2008033491.tif 000012
【図１１】
2008033491.tif 000013
【図１２】
2008033491.tif 000014
【図１３】
2008033491.tif 000015
【図１４】
2008033491.tif 000016
【図１５】
2008033491.tif 000017
【図１６】
2008033491.tif 000018
【図１７】
2008033491.tif 000019
【図１８】
2008033491.tif 000020
【図１９】
2008033491.tif 000021